(57)【要約】【課題】  電話の発着呼等の割込みに対してもディジタル放送の安定的な再生を行うことが可能な携帯端末装置を提供する。【解決手段】  プロセッサユニット（＃０）５は電話の発信／着信／通話、電子メールの受信／送信等の携帯電話機の基本機能を担当する。プセッサユニット（＃１）６はディジタル放送を再生、表示するための機能を担当する。アンテナ１とチューナ２とによって受信されたディジタル放送番組はメインメモリ４にバッファリングされ、ＤＴＶサービス６１でモノメディアに分離される。そのモノメディアはＤＳＰ８で動画像と音声とに復帰され、動画像がローテーター９で回転されてＬＣＤデバイス１２の向きに合わせられる。ＩＭＧプロセッサ１０は動画像の色変換を行い、アプリケーション５１からの表示情報と合成して画面を形成し、ＬＣＤ制御部１１を経てＬＣＤデバイス１２に表示する。【選択図】      図１
2007036638.tif 000002
【特許請求の範囲】
【請求項１】
少なくとも電子メールの送受信を含む通信処理とディジタル放送の受信再生処理とが可能な携帯端末装置であって、
前記通信処理と前記受信再生処理とをそれぞれ独立に並列して実行する複数のプロセッサを有することを特徴とする携帯端末装置。
【請求項２】
ディジタル放送波を受信する際に動画像及び音声の再生までに必要な処理を複数のプロセスに分け、前記複数のプロセッサにて実行することを特徴とする請求項１記載の携帯端末装置。
【請求項３】
前記複数のプロセッサは、携帯電話機の基本機能を動かす第１のプロセッサユニットと、ネットワーク通信用のプロセッサと、前記ディジタル放送を再生する第２のプロセッサユニットと、前記動画像及び前記音声をデコードするＤＳＰ（Ｄｉｇｉｔａｌ  Ｓｉｇｎａｌ  Ｐｒｏｃｅｓｓｏｒ）と、前記動画像の色変換及び画面の合わせ込みを行うプロセッサとを少なくとも含むことを特徴とする請求項２記載の携帯端末装置。
【請求項４】
前記通信処理に電話の発着呼の処理を含む携帯電話機であることを特徴とする請求項１から請求項３のいずれか記載の携帯端末装置。
【請求項５】
少なくとも電子メールの送受信を含む通信処理とディジタル放送の受信再生処理とが可能な携帯端末装置に用いるディジタル放送受信再生方法であって、
前記携帯端末装置の複数のプロセッサが、前記通信処理と前記受信再生処理とをそれぞれ独立に並列して実行することを特徴とするディジタル放送受信再生方法。
【請求項６】
ディジタル放送波を受信する際に動画像及び音声の再生までに必要な処理を複数のプロセスに分け、前記複数のプロセッサにて実行することを特徴とする請求項５記載のディジタル放送受信再生方法。
【請求項７】
前記複数のプロセッサが、携帯電話機の基本機能を動かす第１のプロセッサユニットと、ネットワーク通信用のプロセッサと、前記ディジタル放送を再生する第２のプロセッサユニットと、前記動画像及び前記音声をデコードするＤＳＰ（Ｄｉｇｉｔａｌ  Ｓｉｇｎａｌ  Ｐｒｏｃｅｓｓｏｒ）と、前記動画像の色変換及び画面の合わせ込みを行うプロセッサとを少なくとも含むことを特徴とする請求項６記載のディジタル放送受信再生方法。
【請求項８】
前記携帯端末装置が、前記通信処理に電話の発着呼の処理を含む携帯電話機であることを特徴とする請求項５から請求項７のいずれか記載のディジタル放送受信再生方法。
【発明の詳細な説明】
【技術分野】
【０００１】
本発明は携帯端末装置及びそれに用いるディジタル放送受信再生方法に関し、特に携帯電話機におけるディジタル放送の受信再生方法に関する。
【背景技術】
【０００２】
近年、携帯電話機等の携帯端末装置においては、性能の向上に伴って多機能化しており、テレビ電話やテレビ放送の受信再生をも行う端末が市場に提供されるようになってきている。
【０００３】
上記の携帯端末装置では、非常に高速の単独のプロセッサ（Ｐｒｏｃｅｓｓｏｒ）にて、通話や電子メールの着信等の通信処理やテレビ放送の受信再生の全処理を実現させている。尚、携帯電話システムにおいて、携帯端末にディジタル放送の受信機能を持たせることは下記の特許文献１に記載の技術で述べられている。
【０００４】
【特許文献１】特開２００３−１７９９７１号公報
【発明の開示】
【発明が解決しようとする課題】
【０００５】
上述した従来の携帯端末装置では、非常に高速の単独のプロセッサにてディジタル放送の受信再生の全処理を実現される場合、通常のディジタル放送の再生時、プロセッサの性能自体に十分余裕がある場合でも、通話や電子メールの着信等の割込みが発生し、一時的に負荷が高くなった場合、割込み処理やプロセスの切替え等のため、一時的に画面の動きが止まったり、ゴミが出たり、音声が途切れたりしてディジタル放送の安定的な再生を行うことができない場合がある。
【０００６】
そこで、本発明の目的は上記の問題点を解消し、電話の発着呼等の割込みに対してもディジタル放送の安定的な再生を行うことができる携帯端末装置及びそれに用いるディジタル放送受信再生方法を提供することにある。
【課題を解決するための手段】
【０００７】
本発明による携帯端末装置は、少なくとも電子メールの送受信を含む通信処理とディジタル放送の受信再生処理とが可能な携帯端末装置であって、
前記通信処理と前記受信再生処理とをそれぞれ独立に並列して実行する複数のプロセッサを備えている。
【０００８】
本発明によるディジタル放送受信再生方法は、少なくとも電子メールの送受信を含む通信処理とディジタル放送の受信再生処理とが可能な携帯端末装置に用いるディジタル放送受信再生方法であって、
前記携帯端末装置の複数のプロセッサが、前記通信処理と前記受信再生処理とをそれぞれ独立に並列して実行している。
【０００９】
すなわち、本発明の携帯端末装置は、電話の発着呼等の通信処理とディジタル放送の受信再生処理とが可能な装置において、それらの処理の負荷を複数のプロセッサ（Ｐｏｒｃｅｓｓｏｒ）に適切に分散させ、それらの処理をそれぞれ独立して並列に処理させることによって、電話の発着呼等の割り込みに対しても、それぞれのメディアの処理において物理的にＣＰＵ（中央処理装置）時間が確保されるので、必ずしも高速でないプロセッサでもディジタル放送の安定的な再生が可能となる。
【００１０】
本発明の携帯端末装置では、ディジタル放送波を受信する場合、動画像や音声の再生までに必要な処理を複数のプロセスに分け、複数のプロセッサにそれぞれの負荷を分散させ、独立性を保たせることで、任意のタイミングで発生する発着呼等の割込みに対しても、動画像や音声の再生が瞬時に途切れることがなく、動画像や音声の安定的な再生を確保するための手段の構成が提供可能となる。
【００１１】
より具体的に説明すると、本発明の携帯端末装置では、携帯電話機等の携帯端末装置内において、携帯電話機の基本機能を動かすプロセッサユニット（Ｐｒｏｃｅｓｓｏｒ  Ｕｎｉｔ）＃０と、メインメモリ（Ｍａｉｎ  Ｍｅｍｏｒｙ）と、ネットワーク通信用プロセッサであるＣＣＰＵ（Ｃｏｍｍｕｎｉｃａｔｉｏｎ  Ｃｅｎｔｒａｌ  Ｐｒｏｃｅｓｓｉｎｇ  Ｕｎｉｔ）と、ディジタル放送波を受信するアンテナと、チューナ（Ｔｕｎｅｒ）と、入力インタフェース［Ｉｎｐｕｔ  ＩＦ（ｉｎｔｅｒｆａｃｅ）］と、ディジタル放送を再生するプロセッサユニット＃１と、動画像や音声をデコードするＤＳＰ（Ｄｉｇｉｔａｌ  Ｓｉｇｎａｌ  Ｐｒｏｃｅｓｓｏｒ）と、動画像をＬＣＤ（Ｌｉｑｕｉｄ  Ｃｒｙｓｔａｌ  Ｄｉｓｐｌａｙ）の向きに合わせるローテーター（Ｒｏｔａｔｏｒ）と、動画像の色変換及びアプリケーションからの情報の合わせ込みを行うＩＭＧ（ｉｍａｇｉｎｇ）プロセッサと、ＬＣＤ制御部（コンロトーラ）と、ＬＣＤデバイスと、音声出力するＰＣＭ（Ｐｕｌｓｅ  Ｃｏｄｅ  Ｍｏｄｕｌａｔｉｏｎ）出力機能と、音声出力機能（Ａｕｄｉｏ  ｏｕｔ）とが配設されている。
【００１２】
プロセッサユニット＃０は携帯電話機の基本機能を動かすアプリケーション（Ａｐｐｌｉｃａｔｉｏｎ）と、ミドルウェア（Ｍｉｄｄｌｅ）と、カーネル（Ｋｅｒｎｅｌ）と、ドライバ（Ｄｒｉｖｅｒ）と、マルチウインドウ表示機能［例えば、Ｘ−ｗｉｎｄｏｗ（登録商標）等］とから構成されている。プロセッサユニット＃１はディジタル放送を再生するＤＴＶ（Ｄｉｇｉｔａｌ  Ｔｅｌｅｖｉｓｉｏｎ）サービス（Ｓｅｒｖｉｃｅ）と、カーネルとを含んでいる。
【００１３】
本発明の携帯端末装置では、上記の構成において、携帯電話機の基本機能をプロセッサユニット＃０で、ディジタル放送のＭＰＥＧ２−ＴＳ（Ｍｏｖｉｎｇ  Ｐｉｃｔｕｒｅｓ  Ｅｘｐｅｒｔｓ  Ｇｒｏｕｐ  ２−Ｔｒａｎｓｐｏｒｔ  Ｓｔｒｅａｍ）のＤＥＭＵＸ（ｄｅｍｕｌｔｉｐｌｅｘ）処理をプロセッサユニット＃１で、動画像や音声のデコード処理をＤＳＰで、色変換と画面の合わせ込みとをＩＭＧプロセッサでそれぞれ分散して並列に処理することを特徴とする。
【００１４】
これによって、本発明の携帯端末装置では、ディジタル放送を受信し、電話の発着呼等の割込みに対しても、ディジタル放送の安定的な再生を行うことが可能となる。
【発明の効果】
【００１５】
本発明は、以下に述べるような構成及び動作とすることで、電話の発着呼等の割込みに対してもディジタル放送の安定的な再生を行うことができるという効果が得られる。
【発明を実施するための最良の形態】
【００１６】
次に、本発明の実施例について図面を参照して説明する。図１は本発明の一実施例による携帯電話機の構成を示すブロック図である。図１において、本発明の一実施例による携帯電話機はディジタル放送波を受信するアンテナ１と、チューナ（Ｔｕｎｅｒ）２と、入力インタフェース［Ｉｎｐｕｔ  ＩＦ（ｉｎｔｅｒｆａｃｅ）］３と、メインメモリ（Ｍａｉｎ  Ｍｅｍｏｒｙ）４と、携帯電話機の基本機能を動かすプロセッサユニット（Ｐｒｏｃｅｓｓｏｒ  Ｕｎｉｔ）（＃０）５と、ディジタル放送を再生するプロセッサユニット（＃１）６と、ネットワーク通信用プロセッサである通信用ＣＰＵ［ＣＣＰＵ（Ｃｏｍｍｕｎｉｃａｔｉｏｎ  Ｃｅｎｔｒａｌ  Ｐｒｏｃｅｓｓｉｎｇ  Ｕｎｉｔ）］７と、動画像や音声をデコードするＤＳＰ（Ｄｉｇｉｔａｌ  Ｓｉｇｎａｌ  Ｐｒｏｃｅｓｓｏｒ）８と、動画像をＬＣＤ（Ｌｉｑｕｉｄ  Ｃｒｙｓｔａｌ  Ｄｉｓｐｌａｙ）の向きに合わせるローテーター（Ｒｏｔａｔｏｒ）９と、動画像の絵色変換及びアプリケーションからの情報の合わせ込みを行うＩＭＧ（ｉｍａｇｉｎｇ）プロセッサ１０と、ＬＣＤ制御部（コンロトーラ）１１と、ＬＣＤデバイス１２と、音声出力するＰＣＭ（Ｐｕｌｓｅ  Ｃｏｄｅ  Ｍｏｄｕｌａｔｉｏｎ）出力部１３と、音声出力部（Ａｕｄｉｏ  ｏｕｔ）１４とから構成されている。
【００１７】
プロセッサユニット（＃０）５は携帯電話機の基本機能を動かすアプリケーション（Ａｐｐｌｉｃａｔｉｏｎ）５１と、ミドルウェア（Ｍｉｄｄｌｅ）５２と、カーネル（Ｋｅｒｎｅｌ）５３と、ドライバ（Ｄｒｉｖｅｒ）５４と、マルチウインドウ表示部［例えば、Ｘ−ｗｉｎｄｏｗ（登録商標）等］５５とから構成されている。プロセッサユニット（＃１）６はディジタル放送を再生するＤＴＶ（Ｄｉｇｉｔａｌ  Ｔｅｌｅｖｉｓｉｏｎ）サービス（Ｓｅｒｖｉｃｅ）６１と、カーネル６２とを含んで構成されている。
【００１８】
図２は本発明の一実施例による携帯電話機の動作を示すフローチャートである。これら図１及び図２を参照して本発明の一実施例による携帯電話機の動作について説明する。本発明の一実施例による携帯電話機では、図２に示すように、携帯電話機の通信処理とディジタル放送の再生処理とが並列に実行されている。
【００１９】
本実施例では、携帯電話機内において、電話の発信／着信／通話、電子メールの受信／送信等の携帯電話機の基本機能をプロセッサユニット（＃０）５で担当する（図２ステップＳ１）。
【００２０】
プロセッサユニット（＃０）５は、ソフト機能として、主にボタン操作によるＵＩ（Ｕｓｅｒ  Ｉｎｔｅｒｆａｃｅ）を提供するアプリケーション５１と、そのＵＩを提供するために必要な機能を実現するミドルウェア５２と、カーネル５３と、ドライバ５４と、画面表示をコントロールするマルチウインドウ表示部５５とから構成され、携帯電話機全体のソフトウェアを記憶するメインメモリ４と、ネットワーク通信用のプロセッサである通信用ＣＰＵ７とともに携帯電話機の基本機能を実現する。
【００２１】
また、本実施例では、ディジタル放送を再生、表示するために、アンテナ１とチューナ２とによって受信したディジタル放送番組を入力インタフェース３を介して上記のメインメモリ４にバッファリングしている（図２ステップＳ２）。メインメモリ４にバッファリングされたＭＰＥＧ２−ＴＳ（Ｍｏｖｉｎｇ  Ｐｉｃｔｕｒｅｓ  Ｅｘｐｅｒｔｓ  Ｇｒｏｕｐ  ２−Ｔｒａｎｓｐｏｒｔ  Ｓｔｒｅａｍ）データはプセッサユニット（＃１）６上のＤＴＶサービス６１でモノメディアに分離され（図２ステップＳ３）、ＤＳＰ８で動画像と音声とに復帰される（図２ステップＳ４）。
【００２２】
復帰された動画像はローテーター９で回転されてＬＣＤデバイス１２の向きに合わせられ（図２ステップＳ５）、ＩＭＧプロセッサ１０で色変換が行われ、さらにマルチウインドウ表示部５５から得たアプリケーション５１からの表示情報と合成されて画面が形成され（図２ステップＳ６）、ＬＣＤ制御部１１を経てＬＣＤデバイス１２に表示される（図２ステップＳ７）。ＤＳＰ８から音声出力されるＰＣＭはＰＣＭ出力部１３を介して音声出力部から出力される。
【００２３】
このように、本実施例では、携帯電話機の基本機能をプロセッサユニット（＃０）５で、ディジタル放送のＭＰＥＧ２−ＴＳデータのＤＥＭＵＸ（ｄｅｍｕｌｔｉｐｌｅｘ）処理をプロセッサユニット（＃１）６で、動画像と音声とのデコード処理をＤＳＰ８で、色変換と表示画面の合わせ込みとをＩＭＧプロセッサ１０でそれぞれ分散させて、並列に動作させることで、音声通話、発着呼に対してもディジタル放送の動画像や音声の安定的な再生を確保することができる。
【００２４】
尚、上記の説明では携帯電話機の動作についてのべているが、本発明は少なくとも電子メールの送受信とディジタル放送の受信再生が可能な端末［例えば、ＰＤＡ（Ｐｅｒｓｏｎａｌ  Ｄｉｇｉｔａｌ  Ａｓｉｓｓｔａｎｔ）等］であれば、どのような携帯端末にも適用可能である。
【図面の簡単な説明】
【００２５】
【図１】本発明の一実施例による携帯電話機の構成を示すブロック図である。
【図２】本発明の一実施例による携帯電話機の動作を示すフローチャートである。
【符号の説明】
【００２６】
１  アンテナ
２  チューナ
３  入力インタフェース
４  メインメモリ
５  プロセッサユニット（＃０）
６  プロセッサユニット（＃１）
７  通信用ＣＰＵ
８  ＤＳＰ
９  ローテーター
１０  ＩＭＧプロセッサ
１１  ＬＣＤ制御部
１２  ＬＣＤデバイス
１３  ＰＣＭ出力部
１４  音声出力部
５１  アプリケーション
５２  ミドルウェア
５３，６２  カーネル
５４  ドライバ
５５  マルチウインドウ表示部
６１  ＤＴＶサービス
【図１】
2007036638.tif 000003
【図２】
2007036638.tif 000004